(57)【要約】【課題】内容物を計量する際の操作性を改善した計量キャップを提供する。【解決手段】計量キャップ１は、内容物を収容する容器本体２の口部３を覆うキャップ本体３０と、キャップ本体に係止された、目盛部を有する目盛部材４０Ａと、を備える。キャップ本体は、有頂筒状の本体筒部３１と、本体筒部の頂壁部３４からキャップ軸Ｏ方向における本体筒部の開放端部側に向けて延びる計量筒部３５と、容器本体の口部に装着される装着筒部３３と、を有し、計量筒部は、その内部が視認可能に形成されている。【選択図】図１
2018172155.tif 000002
【特許請求の範囲】
【請求項１】
内容物を収容する容器本体の口部を覆うキャップ本体と、
前記キャップ本体に係止された、目盛部を有する目盛部材と、を備え、
前記キャップ本体は、
有頂筒状の本体筒部と、
前記本体筒部の頂壁部からキャップ軸方向における前記本体筒部の開放端部側に向けて延びる計量筒部と、
前記容器本体の口部に装着される装着筒部と、を有し、
前記計量筒部は、その内部が視認可能に形成されていることを特徴とする、計量キャップ。
【請求項２】
前記目盛部は、周方向に延びるとともにキャップ軸方向に間隔をあけて複数配置されていることを特徴とする、請求項１に記載の計量キャップ。
【請求項３】
前記目盛部材には、前記計量筒部からキャップ軸方向における前記本体筒部の開放端部側に向けて突出するとともに、キャップ軸方向における前記本体筒部の開放端部側に向かうに従って漸次、径方向外側に向けて延びるリップ部が形成されていることを特徴とする、請求項１または２に記載の計量キャップ。
【請求項４】
前記本体筒部の内周面が、前記リップ部の径方向外側かつ前記装着筒部の径方向内側に位置していることを特徴とする、請求項３に記載の計量キャップ。
【請求項５】
前記目盛部材のうち、前記本体筒部よりもキャップ軸方向における前記本体筒部の開放端部側で、かつ前記リップ部よりもキャップ軸方向における前記頂壁部側に位置する部分には、径方向外側に向けて突出する受部が形成されていることを特徴とする、請求項３または４に記載の計量キャップ。
【発明の詳細な説明】
【技術分野】
【０００１】
本発明は、計量キャップに関する。
【背景技術】
【０００２】
従来から、下記特許文献１に示されるような計量キャップが知られている。この計量キャップは、内容物を収容する容器本体の口部を覆っており、内容物を計量するための目盛部を備えている。
【先行技術文献】
【特許文献】
【０００３】
【特許文献１】実公平５−３６８３９号公報
【発明の概要】
【発明が解決しようとする課題】
【０００４】
ところで、この種の計量キャップでは、目盛部を計量キャップの外部から視認しにくい場合があり、内容物を計量する際の操作性を改善することについて改善の余地があった。
【０００５】
本発明はこのような事情を考慮してなされたもので、内容物を計量する際の操作性を改善した計量キャップを提供することを目的とする。
【課題を解決するための手段】
【０００６】
上記課題を解決するために、本発明の計量キャップは、内容物を収容する容器本体の口部を覆うキャップ本体と、前記キャップ本体に係止された、目盛部を有する目盛部材と、を備え、前記キャップ本体は、有頂筒状の本体筒部と、前記本体筒部の頂壁部からキャップ軸方向における前記本体筒部の開放端部側に向けて延びる計量筒部と、前記容器本体の口部に装着される装着筒部と、を有し、前記計量筒部は、その内部が視認可能に形成されていることを特徴とする。
【０００７】
本発明の計量キャップによれば、目盛部を有する目盛部材が、キャップ本体と別体であるため、例えば目盛部がキャップ本体と一体に形成されている場合と比較して、目盛部を目立たせることができる。さらに、キャップ本体の計量筒部は、その内部が視認可能に形成されているため、計量筒部内の内容物および目盛部の両者をキャップ本体の外部から視認しやすく、計量筒部内の内容物をこの目盛部によって計量する際の操作性を改善することができる。
【０００８】
ここで、前記目盛部は、周方向に延びるとともにキャップ軸方向に間隔をあけて複数配置されていてもよい。
【０００９】
この場合、目盛部がより視認しやすくなるとともに、目盛部材が筒状に形成されることとなる。これにより、例えば筒状の目盛部材をキャップ本体の計量筒部に外嵌させることなどによって、目盛部材をキャップ本体に対して容易に係止することが可能となる。
【００１０】
また、前記目盛部材には、前記計量筒部からキャップ軸方向における前記本体筒部の開放端部側に向けて突出するとともに、キャップ軸方向における前記本体筒部の開放端部側に向かうに従って漸次、径方向外側に向けて延びるリップ部が形成されていてもよい。
【００１１】
この場合、リップ部が形成されていることによって、計量筒部内の内容物を所望の位置に向けて注ぎやすくなり、さらに内容物を注いだ際の液切れを良くし、内容物が垂れてしまうのを抑制することができる。
【００１２】
また、前記本体筒部の内周面が、前記リップ部の径方向外側かつ前記装着筒部の径方向内側に位置していてもよい。
【００１３】
この場合、仮にリップ部から液状の内容物が垂れ落ちたとしても、この内容物を本体筒部の内側で受け止めることができる。これにより、装着筒部に内容物が付着してしまうのを抑えることができる。
【００１４】
また、前記目盛部材のうち、前記本体筒部よりもキャップ軸方向における前記本体筒部の開放端部側で、かつ前記リップ部よりもキャップ軸方向における前記頂壁部側に位置する部分には、径方向外側に向けて突出する受部が形成されていてもよい。
【００１５】
この場合、仮にリップ部から液状の内容物が垂れ落ちたとしても、この内容物を受部によって受け止めることができる。これにより、装着筒部に内容物が付着してしまうのを、より確実に抑えることができる。
【発明の効果】
【００１６】
本発明によれば、内容物を計量する際の操作性を改善した計量キャップを提供することができる。
【図面の簡単な説明】
【００１７】
【図１】第１実施形態に係る計量キャップが装着された容器本体の縦断面図である。
【図２】図１の計量キャップの半縦断面図である。
【図３】図２の目盛部材の半縦断面図である。
【図４】変形例に係る目盛部材の半縦断面図である。
【図５】（ａ）は第２実施形態に係る目盛部材の平面図であり、（ｂ）はこの目盛部材を備えた計量キャップの半縦断面図である。
【発明を実施するための形態】
【００１８】
（第１実施形態）
以下、第１実施形態に係る計量キャップの構成を、図１〜図４を参照しながら説明する。なお、以下の説明に用いる各図面では、各部材を認識可能な大きさとするため縮尺を適宜変更している。
図１に示すように、本実施形態の計量キャップ１は、有頂筒状の本体筒部３１を有するキャップ本体３０と、目盛部材４０Ａと、を備えている。計量キャップ１は、容器本体２の口部３に取り付けられた注出部材２０を介して、口部３に着脱自在に装着されるとともにこの口部３を覆っている。容器本体２は、有底筒状に形成されるとともに、その内部に内容物が収容される。
【００１９】
計量キャップ１は、容器本体２の口部３から取り外された状態で、この計量キャップ１内に容器本体２内の内容物を注入することで、内容物を計量するものである。
内容物としては、特に限定されるものではないが、例えば洗濯用などの洗剤液、化粧水、保湿液、美容液、傷薬等の薬液、消臭液、および揮散剤を含む芳香液等の各種液体が挙げられる。
【００２０】
ここで本実施形態では、容器本体２の口部３、注出部材２０、およびキャップ本体３０は、それぞれの中心軸が共通軸上に位置している。以下、この共通軸をキャップ軸Ｏといい、キャップ軸Ｏに沿う方向を単にキャップ軸Ｏ方向という。また、計量キャップ１が容器本体２の口部３に装着された状態において、キャップ軸Ｏ方向における本体筒部３１の開放端部側を単に下側といい、キャップ軸Ｏ方向における本体筒部３１の頂壁部３４側を単に上側という。さらに、キャップ軸Ｏ方向から見た平面視で、キャップ軸Ｏに直交する方向を径方向といい、キャップ軸Ｏ周りに周回する方向を周方向という。
【００２１】
（注出部材）
注出部材２０は、容器本体２の口部３に取り付けられた取付筒２６と、取付筒２６の上端部から径方向内側に向けて延びる環状のフランジ部２１と、フランジ部２１の内周縁から上側に向けて延びる螺子筒部２２と、フランジ部２１の内周縁から下側に向けて延びる嵌合筒部２９と、を有している。注出部材２０はさらに、口部３の径方向内側に配置された内筒部２３と、内筒部２３の下端縁に連設されて内筒部２３を閉塞する底壁部２７と、底壁部２７から上側に向けて延びる注出筒２４と、を有している。
【００２２】
取付筒２６の内周面には、容器本体２の口部３に形成された雄ネジ部と螺合する雌ネジ部が形成されている。これにより、取付筒２６は、口部３に螺着されている。取付筒２６の下端部には、口部３の下端部に形成された容器側規制部３ａに係合し、注出部材２０の容器本体２に対するキャップ軸Ｏ回りの回動を規制するキャップ側規制部２６ａが形成されている。取付筒２６の上端部は、口部３の上端縁よりも上側に位置している。
なお、取付筒２６はアンダーカット嵌合等により口部３に取り付けられていてもよい。
【００２３】
嵌合筒部２９は、口部３内に液密に嵌合されている。螺子筒部２２の外周面には、雄ねじ部が形成されている。螺子筒部２２の内径は、内筒部２３の内径よりも大きい。内筒部２３の上端部は、螺子筒部２２の下端部に連なっている。底壁部２７は、径方向内側に向かうに従い、漸次下側に向かうように傾斜している。底壁部２７には、この底壁部２７をキャップ軸Ｏ方向に貫通する注出口２７ａが形成されている。注出筒２４は、注出口２７ａの内周縁から上側に向けて延びている。注出筒２４は、キャップ軸Ｏと同軸上に配設され、その上端部が螺子筒部２２の上端部よりも上側に位置している。注出筒２４の上端部は、先鋭形状を呈している。
【００２４】
注出筒２４には、キャップ軸Ｏ方向に延びるスリット２５が形成されている。スリット２５は、キャップ軸Ｏ方向における注出筒２４の全長に亘って形成されている。底壁部２７のうち、スリット２５の下端部に連なる部分には、底壁部２７をキャップ軸Ｏ方向に貫通する回収孔２８が形成されている。回収孔２８は、スリット２５内および注出口２７ａに連通している。なお、回収孔２８は、容器本体２内の内容物の注出後、底壁部２７上に残存した内容物を回収するための機能に加え、注出時に容器本体２内に空気を導入する機能も有している。
【００２５】
（キャップ本体）
キャップ本体３０は、透明または半透明の樹脂などによって、内部が視認可能に形成されている。キャップ本体３０は、本体筒部３１の下端部から径方向外側に向けて延びる環状のフランジ部３２と、フランジ部３２の外周縁から下側に向けて延びる装着筒部３３と、本体筒部３１から下側に向けて延びるシール筒部３６と、本体筒部３１の頂壁部３４から下側に向けて延びる計量筒部３５と、を有している。
【００２６】
本体筒部３１は、注出筒２４の上端部を径方向外側から囲繞している。本体筒部３１の内周面は、シール筒部３６の内周面に連なっており、装着筒部３３よりも径方向内側に位置している。フランジ部３２の下面には、螺子筒部２２の上端縁に、その上側から当接する環状の突起が形成されている。シール筒部３６は、注出部材２０の螺子筒部２２内に嵌合している。
【００２７】
装着筒部３３の内周面には、螺子筒部２２の雄ネジ部と螺合する雌ネジ部が形成されている。これにより、装着筒部３３は、螺子筒部２２に螺着されている。
計量筒部３５の下端部は、装着筒部３３の下端部よりも下側に位置している。計量筒部３５の上端部には、径方向外側に向けて突出する環状の突起３５ａが形成されている。なお、内容物を計量する際には、計量筒部３５内に内容物が溜められる。計量筒部３５は、その内部が視認可能に形成されているため、計量筒部３５内の内容物を外部から視認することができる。
【００２８】
（目盛部材）
目盛部材４０Ａは、キャップ本体３０の本体筒部３１および装着筒部３３の径方向内側に位置し、計量筒部３５に係止されている。目盛部材４０Ａは、キャップ本体３０と別体であり、不透明色の材質により形成されている。
【００２９】
図２および図３に示すように、目盛部材４０Ａは、全体としてキャップ軸Ｏ方向に延びる筒状に形成されている。目盛部材４０Ａは、格子状の格子筒部４１と、格子筒部４１の一方の開口部に連設された筒状の首部４２と、首部４２に連なるリップ部４３と、を有している。
首部４２の内径は、格子筒部４１の内径よりも小さく、計量筒部３５の内径と同等となっている。リップ部４３は、計量筒部３５から下側に向けて突出するとともに、下側に向かうに従って漸次、径方向外側に向けて延びている。リップ部４３は、本体筒部３１の内周面よりも径方向内側に位置している。
【００３０】
格子筒部４１は、周方向延びるとともにキャップ軸Ｏ方向に間隔をあけて配置された複数の目盛部４１ａと、キャップ軸Ｏ方向に延びて各目盛部４１ａを互いに連結する複数の縦枠部４１ｂと、を有している。各目盛部４１ａにより、使用者は、計量筒部３５内に溜められた内容物の水位（体積）を認識することができる。また、各目盛部４１ａは、キャップ軸Ｏに対して傾かずに、周方向の全周にわたって延びている。これにより、使用者がキャップ軸Ｏ回りのいずれの方向から計量キャップ１を視認しているかによらず、計量筒部３５内の内容物の水位を容易に認識することができる。
縦枠部４１ｂのうち、キャップ軸Ｏ方向における頂壁部３４側の端部には、径方向外側に向けて窪む溝部４１ｃが形成されている。
【００３１】
目盛部材４０Ａは、格子筒部４１が計量筒部３５に外嵌されつつ、溝部４１ｃ内に突起３５ａが進入することで、キャップ本体３０に係止されている。なお、このように外嵌する場合に限らず、他の方法によって目盛部材４０Ａをキャップ本体３０に係止してもよい。
【００３２】
以上説明したように、本実施形態の計量キャップ１によれば、目盛部４１ａを有する目盛部材４０Ａが、キャップ本体３０と別体であるため、例えば目盛部４１ａがキャップ本体３０と一体に形成されている場合と比較して、目盛部４１ａを目立たせることができる。さらに、キャップ本体３０の計量筒部３５は、その内部が視認可能に形成されており、目盛部材４０Ａは不透明色の材質により形成されているため、計量筒部３５内の内容物および目盛部４１ａの両者をキャップ本体３０の外部から視認しやすい。これにより、計量筒部３５内の内容物を目盛部４１ａによって計量する際の操作性が良好となっている。
【００３３】
また、目盛部材４０Ａは、周方向に延びるとともにキャップ軸Ｏ方向に間隔をあけて配置された複数の目盛部４１ａを備えている。この構成により、目盛部材４０Ａの目盛部４１ａがさらに視認しやすくなるとともに、目盛部材４０Ａが筒状に形成される。この筒状の目盛部材４０Ａを計量筒部３５に外嵌させることなどによって、目盛部材４０Ａをキャップ本体３０に対して容易に係止することができる。
【００３４】
また、目盛部材４０Ａにはリップ部４３が形成されているため、計量筒部３５内の内容物を所望の位置に向けて注ぎやすくなるとともに、内容物を注いだ際の液切れを良くし、この内容物が不意に垂れてしまうのを抑止することができる。また、リップ部４３が不透明色の材質により形成されていることで、計量筒部３５内の内容物を注ぐ際に、リップ部４３の位置や内容物を注ぐ状態などを視認しやすい。さらに、目盛部材４０Ａとキャップ本体３０とが別体であるため、このようなリップ部４３を形成しやすい。
【００３５】
さらに、本体筒部３１の内周面が、リップ部４３の径方向外側かつ装着筒部３３の径方向内側に配置されているため、仮にリップ部４３から内容物が垂れ落ちたとしても、この内容物を本体筒部３１の内側で受けることができる。さらに、この状態で計量キャップ１を注出部材２０に装着すると、本体筒部３１の内側に溜められた内容物が、本体筒部３１およびシール筒部３６の内周面、若しくは目盛部材４０Ａの外周面を伝って、容器本体２内に戻される。これにより、内容物が装着筒部３３に付着してしまうのを抑止することができる。
【００３６】
また、目盛部材４０Ａは、全体として筒状に形成されているため、加飾がしやすい。例えば、ホットスタンプ、シルク印刷、転写などによって、目盛部材４０Ａに装飾を施すことができる。一例としては、図４に示すように、目盛部４１ａと縦枠部４１ｂとの交差部に矩形の板部４１ｄを設けて、この板部４１ｄに内容物の量を示す数値などを表示してもよい。板部４１ｄに数値などを表示する方法としては、例えば目盛部材４０Ａを射出成形によって形成する場合に、成形金型の成形面に設けられた数値などの形状を転写する方法を用いることができる。あるいは、目盛部材４０Ａの成形後に、数値などを板部４１ｄに刻印若しくは印刷してもよい。
【００３７】
（第２実施形態）
次に、本発明に係る第２実施形態について説明するが、第１実施形態と基本的な構成は同様である。このため、同様の構成には同一の符号を付してその説明は省略し、異なる点についてのみ説明する。
本実施形態では、目盛部材の形状が第１実施形態と異なる。
【００３８】
図５（ａ）、（ｂ）に示すように、本実施形態の目盛部材４０Ｂは、首部４２の内周面からキャップ軸Ｏ方向における頂壁部３４の反対側に向けて延びる半円筒状の注出筒部４４を有しており、この注出筒部４４の先端部にリップ部４５が形成されている。リップ部４５は、キャップ軸Ｏ方向における頂壁部３４の反対側に向かうに従って、漸次径方向外側に向けて延びている。なお、注出筒部４４は、半円筒状ではなく円筒状に形成されていてもよい。
【００３９】
また、目盛部材４０Ｂのうち、本体筒部３１よりも下側で、かつリップ部４５よりも上側に位置する部分（首部４２）には、径方向外側に向けて突出する受部４６が形成されている。受部４６は、本体筒部３１の径方向内側に位置している。受部４６の先端部は、キャップ軸Ｏ方向における頂壁部３４の反対側に向かうに従って、漸次径方向外側に向けて延びている。なお、図５（ａ）に示す例では、受部４６がキャップ軸Ｏ回りの半周にわたって形成されているが、受部４６はキャップ軸Ｏ回りの全周にわたって形成されていてもよい。
【００４０】
本実施形態によれば、仮にリップ部４５から内容物が垂れ落ちたとしても、これを受部４６によって受けることが可能となる。
さらに、本体筒部３１が、受部４６の径方向外側かつ装着筒部３３の径方向内側に位置しているため、仮に受部４６から内容物が垂れ落ちたとしても、これを本体筒部３１の内側で受けることができる。このように、本実施形態では、内容物が装着筒部３３に付着してしまうのをより確実に抑止することができる。
【００４１】
なお、本発明の技術的範囲は前記実施の形態に限定されるものではなく、本発明の趣旨を逸脱しない範囲において種々の変更を加えることが可能である。
【００４２】
例えば、前記実施形態では、計量キャップ１が注出部材２０を介して容器本体２の口部３に装着される構成となっているが、計量キャップ１が容器本体２の口部３に直接装着される構成を採用してもよい。この場合、装着筒部３３が、容器本体２の口部３に螺着されてもよい。
【００４３】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【００４４】
例えば、第１実施形態と第２実施形態とを組み合わせて、第１実施形態に係る目盛部材４０Ａの首部４２の径方向外側に、リップ部４３から垂れた内容物を受けるための受部が形成されていてもよい。
【符号の説明】
【００４５】
１…計量キャップ  ２…容器本体  ３…口部  ２０…注出部材  ２４…注出筒  ３０…キャップ本体  ３１…本体筒部  ３３…装着筒部  ３４…頂壁部  ３５…計量筒部  ４０Ａ、４０Ｂ…目盛部材  ４１ａ…目盛部  ４３、４５…リップ部  ４２…首部  ４６…受部  Ｏ…キャップ軸
【図１】
2018172155.tif 000003
【図２】
2018172155.tif 000004
【図３】
2018172155.tif 000005
【図４】
2018172155.tif 000006
【図５】
2018172155.tif 000007